(57)【要約】【課題】  複写機の画像処理装置の制御の効率化を図った画像処理制御装置を得る【解決手段】  両面読取りスキャナを用いて、画像の  読取りを実施する。画像処理制御装置は、両面読取スキャナであり、原稿台１、ＣＣＤ５、イメージラインセンサ（ＣＩＳ）６、を有して構成される。ＣＰＵ１０は先ず、読み取り種類選択部１０１において読取装置から表面あるいは裏面、両面のいずれを読み取るか判定する。原稿は、自動原稿送り装置（ＡＤＦ）上のトレーに置かれ、読取開始とともに点線矢印の方向に搬送される。原稿の表面の読み取りの場合、元々の原稿台における縮小光学系の表面読取装置を表面読み取り位置で読み取るように固定し、そこを搬送された原稿が通過することで、ＡＤＦの挿入口に置かれた上面の画像を読み取る。また裏面の原稿の場合は、ＡＤＦに設置された密着型のイメージラインセンサ（ＣＩＳ）６によって原稿搬送時にはＡＤＦの挿入口に置かれた下面の画像を読み取る。【選択図】  図１
2005079854.tif 000002
【特許請求の範囲】
【請求項１】
原稿の表面と裏面とを選択的に読み取る読み取り手段を備えた読取装置において、
前記選択された読み取り手段の情報から読み取る手順を判断する読み取り手順判断手段と、
前記読み取る処理内容を判断する処理内容判断手段と、
設定するデバイスを選択するするデバイス選択手段とを有し、
前記原稿の表面と裏面とを１つの手順で読み取り可能としたことを特徴とする画像処理制御装置。
【請求項２】
前記読み取り手段が前記原稿の表面と裏面とを同時に読み取り可能な場合でも、前記処理手順判断手段と、前記処理内容判断手段と、前記デバイス選択手段とが、前記表面と裏面の双方の処理の必要性を判断して設定することを特徴とする請求項１記載の画像処理制御装置。
【請求項３】
前記読み取り手段の情報を記憶する記憶手段をさらに有し、複数の読み取り要求が連続して生じた場合に、該読み取り手段の情報が前回と同じ要求だった場合には、再設定を不用としたことを特徴とする請求項２に記載の画像処理制御装置。
【請求項４】
前記原稿の表面と裏面との選択的な読み取りは、自動原稿送り装置（ＡＤＦ）の挿入口に置かれた原稿に対して実行されることを特徴とした請求項１から３の何れかに記載の画像処理制御装置。
【請求項５】
前記原稿の表面画像は、Ｂｏｏｋ時と同じＣＣＤを使用して読み取ることを特徴とした請求項４に記載の画像処理制御装置。
【請求項６】
前記原稿が裏面原稿の場合には、前記ＡＤＦに設置された密着型のイメージラインセンサ（ＣＩＳ）によって該ＡＤＦの挿入口に置かれた下面の画像を読み取ることを特徴とした請求項４に記載の画像処理制御装置。
【発明の詳細な説明】
【技術分野】
【０００１】
本発明は、スキャナや、ＦＡＸなどの画像処理部を含む画像読み取り装置の制御に適用され、複写機の画像処理装置の制御の効率化を図った画像処理制御装置に関するものである。
【背景技術】
【０００２】
画像処理は、入力された画像データを制御する方法として、副走査方向及び主走査方向の画像範囲を示す信号（以下、ＦＧＡＴＥ及びＬＧＡＴＥとも言う）と、主走査方向の画像開始の合図としての同期信号（以下、ＬＳＹＮＣとも言う）によって表される。
【０００３】
図８は、従来のデジタル複写機の斜視外観図であり、図９は、同複写機による読み取り動作を説明するための概念図である。読み取り時の動きを、図８に示すデジタル複写機の概観、および、図９の読取光学系の側面図において、以下に説明する。
【０００４】
図８で原稿を原稿台１に直接載せて読み取り面が下向きになるようにセット（Ｂｏｏｋ読み取り）して読み取る場合、コピー手前から見て横方向に読み取り光学系が移動しながら原稿画像を読み込む（図８に示した副走査方向の記号⇒参照）。これは先ず、光源２により原稿が照明され、その反射光がミラー３およびレンズと中継のミラー群４を通して順次収束、反射され、イメージラインセンサ（以下、ＣＣＤ）５により読み取られる。
【０００５】
図１０は、原稿台１や原稿と制御信号の関係（ａ）、画像走査のイメージ（ｂ）、制御信号群と有効画像領域のタイミング（ｃ）、を示している。本図１０中で原稿と同期信号群と有効画像領域のタイミングとの係りにおいて、図１０（ａ）に示した副走査範囲信号ＦＧＡＴＥは、光源２やミラー３が走査する方向、つまり副走査方向の画像範囲を示す信号である。また、主走査同期信号ＬＳＹＮＣは、図１０のＣＣＤ５の読み取り方向、つまり主走査方向のラインの開始点の合図となる同期信号であり、主走査範囲信号ＬＧＡＴＥは、主走査方向の画像範囲を示す信号である。
【０００６】
主走査方向の原稿の読み取りは、図１０かの（ａ）ら（ｃ）の画像走査の具体例に示すように、ＣＣＤ５によって主走査方向にｌｉｎｅ１、ｌｉｎｅ２、ｌｉｎｅ３、・・、というように走査される。これらＦＧＡＴＥ、ＬＳＹＮＣ、ＬＧＡＴＥと画像データとの時間的なタイミング関係を、図１０（ｃ）に示す。これにより２次元である原稿画像のデータを時間軸による画像データに置き換えて処理を行なう。
【０００７】
図１１は、デジタル複写機の全体ブロック構成の例を示している。本図１１に示すデジタル複写機は、ホストＣＰＵ１０、スキャナ１１、画像処理部１２、画像蓄積部１３、プリンタ１４を有して構成される。
処理全般の指示を与える指示部（以下、ＣＰＵ）１０は、各ブロックに処理や設定の指示を送る。
ＣＣＤ５により読み取られた画像データは、まずスキャナ１１に送られ、Ａ／Ｄ変換を行われてスキャナ特性の補正を受け、画像処理部１２でスキャナ用画像処理である黒補正、シェーディング補正やスキャナγ補正などが行なわれ、画像蓄積部１３に送られる。
また、プリンタ出力時には、画像蓄積部１３から画像処理部１２にスキャナ側での画像処理後の画像データが送られ、フィルタや誤差拡散などの画質処理が施され、プリンタ１４に送られる。
【０００８】
画像蓄積部１３は、少なくともコピー出力紙（以下、転写紙）一枚分の画像編集用の一時的なメモリ領域と、ＨＤなどの大容量の記憶媒体を持つことにより、多数部の画像データを蓄積可能で、画像データの圧縮／伸張機能を有して、画像情報の蓄積量を更に増やしている。そして最後に、プリンタ１４が画像蓄積部から画像データを受け取って転写紙に出力する。更に画像処理部での処理について考察する。
【０００９】
図１２の画像処理部での処理の流れの例は、スキャナ側での処理を示している。本図１２において、黒補正は、ＣＣＤの黒画像読み取り時の値である黒レベルを補正し、シェーディング処理は、白画像読み取り時の値を読み取って実画像データの白レベルを補正する。
地肌除去処理は、原稿の地肌レベルを検出して地肌がある画像の画像部分を特徴づけ、スキャナγ変換やスキャナフィルタは、スキャナの読み取り階調性やＭＴＦを補正する。
ミラーリングは、原稿台に置いた場合とシートスルーＤＦで読み取った場合にＣＣＤ原点位置が画像に対して反対になることに対応し、レジスト調整は、ＣＣＤ原点からの画像位置と実際に読み取られた原稿の画像データ開始位置を調整する。
【００１０】
例えば、下記の特許文献１では、両面読取および両面記録モードを有効にかつ適切に実現することを目的としている。本目的において、原稿または記録の搬送方向、および、両面モードが設定されたときの裏面または第２面について、それぞれ画像方向が適切な方向になるように、ページメモリに蓄積した画信号のデータ転送の順序を設定している。
また、特許文献２では、一度の操作で原稿の表裏両面をＣＣＤで読み取るに際して、圧縮符号化回路や画像メモリを増設することなく、表裏両面に対して最適な画像処理を行うことができる画像読取装置を提供することを目的としている。
【特許文献１】特開平０６−１０５１０１号公報
【特許文献２】特開平０７−０５８９４５号公報
【発明の開示】
【発明が解決しようとする課題】
【００１１】
解決しようとする問題点は、近年の読み取り装置の多様化・複雑化にある。近年の読取装置の多様化に従って、いろいろな読取装置に合わせた処理やその順序がある。また、生産性向上の為の読み取り自体の高速化に伴なって、原稿の表面だけでなく同時に裏面も読み取る装置もある。
以上を鑑みて、本発明は（請求項１、２について）色々な読取装置の形態に柔軟に対応すること（請求項２について）複数の読み取り画像に対して一度に制御すること（請求項３について）不必要な制御の再設定を防止することを目的とする。
【課題を解決するための手段】
【００１２】
請求項１に記載の本発明の画像処理制御装置は、原稿の表面と裏面とを選択的に読み取る読み取り手段を備えた読取装置において、選択された読み取り手段の情報から読み取る手順を判断する読み取り手順判断手段と、読み取る手順を判断する処理内容判断手段と、設定するデバイスを選択するするデバイス選択手段とを有し、原稿の表面と裏面とを１つの手順で読み取り可能としたことを特徴としている。
【００１３】
請求項２に記載の発明は、請求項１記載の画像処理制御装置において、読み取り手段が原稿の表面と裏面とを同時に読み取り可能な場合でも、処理手順判断手段と、処理内容判断手段と、デバイス選択手段とが、表面と裏面の双方の処理を判断して設定することを特徴とする。
【００１４】
請求項３に記載の発明は、請求項２に記載の画像処理制御装置において、読み取り手段の情報を記憶する記憶手段をさらに有し、複数の読み取り要求が連続して生じた場合に、該読み取り手段の情報が前回と同じ要求だった場合には、再設定を不用としたことを特徴とする。
【００１５】
請求項４に記載の発明は、請求項１から３の何れかに記載の画像処理制御装置において、上記原稿の表面と裏面との選択的な読み取りは、自動原稿送り装置（ＡＤＦ）の挿入口に置かれた原稿に対して実行されることを特徴とする。
【００１６】
請求項５に記載の発明は、請求項４に記載の画像処理制御装置において、原稿の表面画像は、Ｂｏｏｋ時と同じＣＣＤを使用して読み取るとよい。
【００１７】
請求項６に記載の発明は、請求項４に記載の画像処理制御装置において、原稿が裏面原稿の場合には、ＡＤＦに設置された密着型のイメージラインセンサ（ＣＩＳ）によって該ＡＤＦの挿入口に置かれた下面の画像を読み取るとよい。
【発明の効果】
【００１８】
以上、本発明の画像処理制御装置によれば、色々な読取装置の形態に対応すること、複数の読み取り画像に対して一度に制御すること、不必要な制御の再設定を防止すること、等が可能となる。従って、図１に示した画像読み取りスキャナは、原稿台１、原稿２、ミラー３、レンズとミラー群４、ＣＣＤ５、ＣＩＳ６を有して構成される。
【発明を実施するための最良の形態】
【００１９】
添付図面を参照して本発明による画像処理制御装置の実施の形態を詳細に説明する。図１から図７を参照すると、本発明の画像処理制御装置の一実施形態が示されている。
【実施例１】
【００２０】
実施例１を図１に示す。図１の両面読取りスキャナを用いて、画像の  読取りを実施する。これらの構成内容を以下に詳述する。図１に示した画像処理制御装置は、両面読取スキャナの構成例であり、原稿台１、光源２、ミラー３、レンズと中継のミラー群４、ＣＣＤ５、イメージラインセンサ（ＣＩＳ）６、等を有して構成される。なお、図１中のＡＤＦに添って示した点線の矢印は、原稿の搬送経路を示している。
【００２１】
本発明の実施に当たって、先ずは本発明が適用される一例として、原稿の表面および裏面を読み取ることが可能な読取装置の構成例について述べる。図１は、両面読取スキャナの簡単な構成例を示している。ここで原稿は、自動原稿送り装置（ＡＤＦ）上のトレーに置かれ、読取開始とともに点線矢印の方向に搬送される。
【００２２】
原稿の表面の読み取りの場合、元々の原稿台における縮小光学系の表面読取装置を表面読み取り位置で読み取るように固定し、そこを搬送された原稿が通過することで、ＡＤＦの挿入口に置かれた上面の画像を読み取る。
また裏面の原稿の場合は、ＡＤＦに設置された密着型のイメージラインセンサ（ＣＩＳ）６によって原稿搬送時にはＡＤＦの挿入口に置かれた下面の画像を読み取る。
【００２３】
図２は、表面あるいは裏面読み取り時の表面画像（ａ）と裏面画像（ｂ）に対しての、原稿と制御信号の関係例を示している。ここで表面画像（ａ）では、Ｂｏｏｋ時と同じＣＣＤ５を使用して読み取るため、ＣＣＤ５の読み取り開始点から見ると主走査の画像方向が反転することになる。
また、裏面の場合は、専用の密着型のＣＩＳ６を用いているため、常に方向固定で画像を読み取ることになる。この場合の表面（ａ）と裏面（ｂ）でそれぞれ読み取った場合の、読み取り側の画像処理について検討する。
【００２４】
図３に表面と裏面の画像処理の流れの一例を示す。
表面の画像処理の流れ（ａ）は、図１４に示す従来例の画像処理部での処理の流れと同じであるが、裏面の場合は読み取りが密着型のイメージラインセンサ（ＣＩＳ）６となっている。このため、ＣＩＳ特有の継ぎ目補正処理が存在し、また、読み取り方向がいつも同じである。よって、ミラーリングをしなくて良く、また、ＣＩＳ自体に黒レベル補正機能が備わっている場合には、黒補正も必要なくなる。
【００２５】
裏面の画像処理の流れ（ｂ）を説明すると、シェーディング処理は白画像読み取り時の値を読み取って実画像データの白レベルを補正する。
継ぎ目補正は、ＣＩＳの読み取り素子を主走査方向全面に渡って作成することが困難なため、ある程度の長さの素子を物理的につなげて主走査全面の読み取りとする際に、繋ぎ目の画像欠落や重複を補正する。
【００２６】
地肌除去処理は、原稿の地肌レベルを検出して地肌がある画像の画像部分を特徴づける。また、スキャナγ変換やスキャナフィルタは、スキャナの読み取り階調性やＭＴＦを補正する。レジスト調整は、ＣＣＤ原点からの画像位置と実際に読み取られた原稿の画像データ開始位置を調整する。
表面（ａ）と裏面（ｂ）での、この処理を制御するための流れを、図４の本発明の第１の画像処理制御の手順例に示す。
【００２７】
図４において、ＣＰＵ１０は先ず、読み取り種類選択部１０１において読取装置から表面あるいは裏面のどちらを読み取るか判定する。
表面処理選択１０３が選択された場合には、図３（ａ）に示したような画像処理の流れを選択し、設定すべき処理モジュール群を通知する。
同様に裏面処理選択１０４が選択された場合には、図３（ｂ）に示したような画像処理の流れを選択し、設定すべき処理モジュール群を通知する。
【００２８】
各処理モジュールダウンロード１０５では、表面処理選択１０３や裏面処理選択１０４から通知されたモジュールを動作させるための設定レジスタ、或いはデバイスがミドルウェアなどではプログラムなどをデバイスに設定する。これにより表面、或いは裏面での画像処理制御が可能となる。
【実施例２】
【００２９】
次に、図５に本発明の第２の実施例の構成例を示す。これは、図１の両面読取スキャナの構成例に対応するものである。この場合、スキャナ１１で読み取られた表面画像と裏面画像が同時に画像処理部１２に渡されることになる。このため、両面が同時に読み取られた場合の設定も必要となる。
図６に本発明の第２の画像処理制御の例を示す。ＣＰＵ１０は先ず、読み取り種類選択部１０１において読取装置から表面あるいは裏面、両面のいずれを読み取るか判定する。
【００３０】
表面処理選択１０３が選択された場合、図３（ａ）に示したような画像処理の流れを選択し、設定すべき処理モジュール群を通知する。同様に裏面処理選択１０４が選択された場合、図３（ｂ）に示したような画像処理の流れを選択し、設定すべき処理モジュール群を通知する。
両面処理判定１０６が選択された場合は、図３（ａ）と（ｂ）に示す表面と裏面の両方の処理全てを選択し、設定すべき処理モジュール群を選択する。
【００３１】
各処理モジュールダウンロード１０５では、表面処理選択１０３や裏面処理選択１０４、そして両面処理選択１０６から通知されたモジュールを動作させるための設定レジスタを設定し、或いはデバイスがミドルウェアなどではプログラムなどをデバイスに設定する。これにより表面、或いは裏面での画像処理制御が可能となる。
【実施例３】
【００３２】
次に図７に本発明の第３の実施例の構成例を示す。
ＣＰＵ１０は先ず、読み取り種類選択部１０１において、読取装置から表面あるいは裏面、両面のいずれを読み取るか判定する。表面処理選択１０３が選択された場合には、図３（ａ）に示したような画像処理の流れを選択し、設定すべき処理モジュール群を通知する。同様に裏面処理選択１０４が選択された場合には、図３（ｂ）に示したような画像処理の流れを選択し、設定すべき処理モジュール群を通知する。
【００３３】
両面処理判定１０６が選択された場合は、図３（ａ）と（ｂ）に示す表面と裏面の両方の処理全てを選択し、設定すべき処理モジュール群を選択する。
差分判定１０７は、前回の設定内容を記憶し、表面処理選択１０３、裏面処理選択１０４、両面処理選択１０６のいずれかから処理すべきモジュール群を通知された時に、もし設定内容が変化した場合は各処理モジュールダウンロード１０５で設定を行ない、もし設定値が一致した場合は、再設定の必要がないため、何もしない。これにより、再設定分の動作を省くことが出来る。特にミドルウェアのプログラムなど、ダウンロード量が多い場合は、設定を省くことで制御に要する時間を減らすことが可能となる。
【図面の簡単な説明】
【００３４】
【図１】両面読取スキャナの構成例を示す図である。
【図２】表面と裏面読み取り時の原稿と制御信号の関係例を示す図である。
【図３】表面と裏面の画像処理の流れの例を示す図である。
【図４】第１の画像処理制御の例を示す図である。
【図５】本発明の第２の構成例を示す図である。
【図６】第２の画像処理制御の例を示す図である。
【図７】第３の画像処理制御の例を示す図である。
【図８】従来のデジタル複写機の概観例を示す図である。
【図９】従来の読み取り光学系の側面図を示す図である。
【図１０】原稿と制御信号の関係例を示す図であり、光源とミラーの関係（ａ）、画像走査の具体例（ｂ）、同期信号群と有効画像領域のタイミング関係例（ｃ）を、示す図である。
【図１１】デジタル複写機の全体ブロック構成例を示す図である。
【図１２】画像処理部での処理の流れの例を示す図である。
【符号の説明】
【００３５】
１    原稿台
２    光源
３    ミラー
４    レンズと中継のミラー群
５    ＣＣＤ
６    イメージラインセンサ（ＣＩＳ）
１０    ＣＰＵ
１１    スキャナ
１２    画像処理部
１０１    読み取り種類選択部
１０３    表面処理選択
１０４    裏面処理選択
１０５    各処理モジュールダウンロード
１０６    両面処理判定
１０７    差分判定
【図１】
2005079854.tif 000003
【図２】
2005079854.tif 000004
【図３】
2005079854.tif 000005
【図４】
2005079854.tif 000006
【図５】
2005079854.tif 000007
【図６】
2005079854.tif 000008
【図７】
2005079854.tif 000009
【図８】
2005079854.tif 000010
【図９】
2005079854.tif 000011
【図１０】
2005079854.tif 000012
【図１１】
2005079854.tif 000013
【図１２】
2005079854.tif 000014